(57)【要約】【課題】  プロテクション機能を提供するとともに、ノードの経済化を図り、ネットワーク構築上の柔軟性を向上させる。【解決手段】  親ノードは、複数の波長の光送信信号を１つのポートに合波し、１つのポートに入力された受信光信号を複数の波長に分波する波長合分波素子２１３と、１つのポートを、現用系と前記予備系のポートとの間で接続切替を行う光スイッチ２１１とを備え、前記子ノードは、現用系と予備系の光伝送路のそれぞれに接続され、各々の子ノードに割り付けられた波長の光信号を合分波するＷＤＭスプリッタ２０４と、現用系光と予備系の２つのポートを１つのポートに合波する光スプリッタ２３３と、１つのポートに入力された光送信信号と光受信信号とを２つのポートに合分波するＷＤＭスプリッタ２３１とを備えた。【選択図】  図２
2005295464.tif 000002
【特許請求の範囲】
【請求項１】
現用系と予備系の光伝送路により、１台の親ノードに接続された複数の子ノードからなり、波長分割多重伝送方式を適用した光伝送システムであって、
前記親ノードは、
光送信部から入力された複数の波長の光送信信号を１つのポートに合波し、該１つのポートに入力された受信光信号を複数の波長に分波して光受信部に出力する波長合分波素子と、
前記１つのポートを、前記現用系光伝送路のポートと前記予備系光伝送路のポートとの間で接続切替を行う光スイッチとを備え、
前記子ノードは、
前記現用系と予備系の光伝送路のそれぞれに接続され、各々の前記子ノードに割り付けられた波長の光送信信号および光受信信号を合分波する第１のＷＤＭスプリッタと、
該第１のＷＤＭスプリッタの前記現用系光伝送路と前記予備系光伝送路の２つのポートを、１つのポートに合波する光スプリッタと、
前記１つのポートに入力された光送信信号と光受信信号とを、光送受信部に接続された２つのポートに合分波する第２のＷＤＭスプリッタとを備え、
前記親ノードの前記光スイッチを切替えることにより、現用系と予備系とを切替えて通信を行うことを特徴とする光伝送システム。
【請求項２】
現用系と予備系の光伝送路により、１台の親ノードに接続された複数の子ノードからなり、波長分割多重伝送方式を適用した光伝送システムであって、
前記親ノードは、
光送信部から入力された複数の波長の光送信信号を１つの送信ポートに合波し、１つの受信ポートに入力された光受信信号を複数の波長に分波して光受信部に出力する波長合分波素子と、
前記送信ポートと、前記現用系光伝送路の下り信号ポートと前記予備系光伝送路の下り信号ポートとの間で接続切替を行い、前記受信ポートと、前記現用系光伝送路の上り信号ポートと前記予備系光伝送路の上り信号ポートとの間で接続切替を行う光スイッチとを備え、
前記子ノードは、
前記現用系と予備系の光伝送路のそれぞれに接続され、各々の前記子ノードに割り付けられた波長の光送信信号および光受信信号を合分波する第１のＷＤＭスプリッタと、
該第１のＷＤＭスプリッタの前記現用系光伝送路の下り信号ポートと前記予備系光伝送路の下り信号ポートとを、光受信部に接続された１つのポートに合波し、光送信部に接続された１つのポートを、前記第１のＷＤＭスプリッタの前記現用系光伝送路の上り信号ポートと前記予備系光伝送路の上り信号ポートとに分波する光スプリッタとを備え、
前記親ノードの前記光スイッチを切替えることにより、現用系と予備系とを切替えて通信を行うことを特徴とする光伝送システム。
【発明の詳細な説明】
【技術分野】
【０００１】
本発明は、光伝送システムに関し、より詳細には、波長分割多重方式を用いた公衆通信網または自営通信網（ＬＡＮ）に適用され、光伝送路が２重化されたネットワークにおける光伝送システムに関する。
【背景技術】
【０００２】
複数のノードが互いに接続された形態の光ネットワークにおいて、ノード間の光伝送路の障害、ノード自体の障害、新規ノードの追加、または既存ノードの挿抜を実施する場合、通信の途絶を防ぐ必要がある。従来、光伝送路または伝送装置を、現用系と予備系の２重化構成とし、または複数の現用系に対して１つの予備系を有するＮ＋１構成として、現用系のシステムを予備系のシステムに一時的に切り替えること（以下、プロテクション機能という）が行われている。
【０００３】
ポイント−ポイントのネットワークにおいては、両端のノードの伝送装置において現用系と予備系とを切り替える。ポイント−マルチポイントのネットワークにおいては、プロテクション機能としてＵＰＳＲ（Unidirectional Path Switched Ring)およびＢＬＳＲ（Bidirectional Line Switched Ring）が知られている（例えば、非特許文献１参照）。ＵＰＳＲおよびＢＬＳＲは、波長分割多重（ＷＤＭ）伝送方式によるＳＤＨ／ＳＯＮＥＴのリングネットワークに備えられるプロテクション機能である。
【０００４】
図１に、従来のＵＰＳＲ型光伝送システムにおけるノードの構成例を示す。ＵＰＳＲ型光伝送システムは、現用系光ファイバ１０２ａと予備系光ファイバ１０２ｂからなるリング型光伝送路に、親ノード１０１と複数の子ノード１０３ａ〜１０３ｄとが接続されている。親ノード１０１は、現用系光ファイバ１０２ａと予備系光ファイバ１０２ｂとの接続を切り替える１×２ポートの光ＳＷ１１１と、送信信号を現用系光ファイバ１０２ａと予備系光ファイバ１０２ｂに分岐する１×２ポートの光スプリッタ１１２と、２×ｎポートの波長合分波素子１１３と、ｎ通りの光波長（λ１，…，λｎ）の信号を送受信するためのｎ組の光送受信部１１４と、光信号の変復調、送受信部の駆動および光ＳＷ１１１の切替制御などを行う制御部１１５とを備えている。
【０００５】
波長合分波素子１１３は、入力ポートの信号をｎ本のポートに分波し、ｎ本のポートの信号を出力ポートに合波する。合分波用の素子としては、ＡＷＧ（Arrayed-Waveguide Grating）がよく知られている（例えば、非特許文献２参照）。光送受信部１１４のトランスミッタＴ１，…，Ｔｎからの送信信号は、波長合分波素子１１３と光スプリッタ１１２とを介して現用系光ファイバ１０２ａと予備系光ファイバ１０２ｂとに送出される。現用系光ファイバ１０２ａからの受信信号は、光ＳＷ１１１と波長合分波素子１１３とを介して光送受信部１１４のレシーバＲ１，…，Ｒｎに入力される。予備系光ファイバ１０２ｂからの受信は、制御部１１５の指示に基づく光ＳＷ１１１の接続切替により行われる。
【０００６】
子ノード１０３は、予め子ノードに割り付けられた波長（λｋとする。ｋはｎ以下の自然数）だけを合分波する１×２ポートのＷＤＭスプリッタ１３１ａ〜１３１ｄと、現用系光ファイバ１０２ａと予備系光ファイバ１０２ｂとの接続を切り替える光ＳＷ１３２と、送信信号を現用系光ファイバ１０２ａと予備系光ファイバ１０２ｂに分岐する光スプリッタ１３３と、１組の光送受信部１３４（Ｔｋ、Ｒｋ）と、制御部１３５とを備えている。親ノード１０１と子ノード１０３との間で、λｋの信号成分だけを送受信し、制御部１３５からの指示に応じて、親ノード１０１と同期を取りながら光ＳＷ１３２で切り替えられる。子ノード１０３の各々は、互いに異なる波長で動作するＷＤＭスプリッタ１３１を備えることにより、最大、波長数と等しいｎ台まで配置することができる。
【０００７】
図中に示したように、現用系光ファイバ１０２ａにおいて障害が発生した場合、障害検出信号が各ノードで検出される。親ノード１０１と子ノード１０３のそれぞれは、光ＳＷ１１１および光ＳＷ１３２を切り替えて、現用系光ファイバ１０２ａから予備系光ファイバ１０２ｂに切り替える。また、人為的に現用系光ファイバ１０２ａから予備系光ファイバ１０２ｂに切り替えて、新規ノードの追加、既存のノードの挿抜を行うことにより、短時間の瞬断で追加、挿抜を行うことができる。
【０００８】
【非特許文献１】ITU-T, Recommendation Ｇ.841, Types and characteristics ofＳＤＨ network protection architecture
【非特許文献２】Ｋ．Okamoto et. al, “Fabrication of 64×64 arrayed-waveguide grating multiplexer on silicon”, Electron. Lett. Vol.31, pp.184-185, 1995
【発明の開示】
【発明が解決しようとする課題】
【０００９】
しかしながら、従来のプロテクション機能では、リング型光伝送路の現用系／予備系光ファイバの双方に送信信号を伝搬するため、全ノードに現用系／予備系切替のための光ＳＷと、切替の同期制御を行う制御部とを備える必要があり、伝送装置の経済性という面で問題があった。
【００１０】
また、アクセスネットワークのより一般的な形態であるスター型、バス型ネットワークに対しては、上述したように、予備心線を複数の子ノードで共用するプロテクション機能は実現されておらず、子ノードと同数の予備系光ファイバが必要になり、ネットワークの経済性という面で問題があった。
【００１１】
プロテクション機能が付与されないアクセスネットワークでは、サービス提供中に新規ノードの追加、既存のノードの挿抜を行う場合には、サービスの中断が生じる。また、新規ノードの追加が想定される部分には、現時点でのユーザ有の無に関わらず、予め分岐用のＷＤＭスプリッタまたはノードを設けていた。従って、ネットワーク構築上の柔軟性に欠点があった。
【００１２】
本発明は、このような問題に鑑みてなされたもので、その目的とするところは、プロテクション機能を提供するとともに、ノードの経済化を図り、ネットワーク構築上の柔軟性を向上させる光伝送システムを提供することにある。
【課題を解決するための手段】
【００１３】
本発明は、このような目的を達成するために、請求項１に記載の発明は、現用系と予備系の光伝送路により、１台の親ノードに接続された複数の子ノードからなり、波長分割多重伝送方式を適用した光伝送システムであって、前記親ノードは、光送信部から入力された複数の波長の光送信信号を１つのポートに合波し、該１つのポートに入力された受信光信号を複数の波長に分波して光受信部に出力する波長合分波素子と、前記１つのポートを、前記現用系光伝送路のポートと前記予備系光伝送路のポートとの間で接続切替を行う光スイッチとを備え、前記子ノードは、前記現用系と予備系の光伝送路のそれぞれに接続され、各々の前記子ノードに割り付けられた波長の光送信信号および光受信信号を合分波する第１のＷＤＭスプリッタと、該第１のＷＤＭスプリッタの前記現用系光伝送路と前記予備系光伝送路の２つのポートを、１つのポートに合波する光スプリッタと、前記１つのポートに入力された光送信信号と光受信信号とを、光送受信部に接続された２つのポートに合分波する第２のＷＤＭスプリッタとを備え、前記親ノードの前記光スイッチを切替えることにより、現用系と予備系とを切替えて通信を行うことを特徴とする。
【００１４】
請求項２に記載の発明は、現用系と予備系の光伝送路により、１台の親ノードに接続された複数の子ノードからなり、波長分割多重伝送方式を適用した光伝送システムであって、前記親ノードは、光送信部から入力された複数の波長の光送信信号を１つの送信ポートに合波し、１つの受信ポートに入力された光受信信号を複数の波長に分波して光受信部に出力する波長合分波素子と、前記送信ポートと、前記現用系光伝送路の下り信号ポートと前記予備系光伝送路の下り信号ポートとの間で接続切替を行い、前記受信ポートと、前記現用系光伝送路の上り信号ポートと前記予備系光伝送路の上り信号ポートとの間で接続切替を行う光スイッチとを備え、前記子ノードは、前記現用系と予備系の光伝送路のそれぞれに接続され、各々の前記子ノードに割り付けられた波長の光送信信号および光受信信号を合分波する第１のＷＤＭスプリッタと、該第１のＷＤＭスプリッタの前記現用系光伝送路の下り信号ポートと前記予備系光伝送路の下り信号ポートとを、光受信部に接続された１つのポートに合波し、光送信部に接続された１つのポートを、前記第１のＷＤＭスプリッタの前記現用系光伝送路の上り信号ポートと前記予備系光伝送路の上り信号ポートとに分波する光スプリッタとを備え、前記親ノードの前記光スイッチを切替えることにより、現用系と予備系とを切替えて通信を行うことを特徴とする。
【００１５】
この構成によれば、親ノードの光スイッチを切替えることにより、現用系と予備系とを切替えて通信を行うことができるので、子ノードには光スイッチを備える必要がなく、親ノードと子ノードとの間で切替えのための同期制御を行う必要がない。また、バス型、ツリー型、スター型など様々なネットワークに対応することができ、予め分岐用のＷＤＭスプリッタを設置するだけで、ネットワークの拡張性を確保することができる。
【発明の効果】
【００１６】
以上説明したように、本発明によれば、プロテクション機能を提供するとともに、ノードの経済化を図り、ネットワーク構築上の柔軟性を向上させることが可能となる。
【発明を実施するための最良の形態】
【００１７】
以下、図面を参照しながら本発明の実施形態について詳細に説明する。  
図２に、本発明の第１の実施形態にかかる光伝送システムにおけるノードの構成を示す。光伝送システムは、バス型ネットワークであり、現用系光ファイバ２０２ａと予備系光ファイバ２０２ｂからなるバス型光伝送路に、親ノード２０１と複数の子ノード２０３とが接続されている。１台の親ノードに、ｎ台（ｎ：自然数）の子ノードを接続することができる。親ノード２０１は、現用系光ファイバ２０２ａと予備系光ファイバ２０２ｂとの接続を切り替える１×２ポートの光ＳＷ２１１と、２ｎ通りの波長の合分波を行う１×２ｎポートの波長合分波素子２１３と、２ｎ通りの光波長の信号を送受信するためのｎ組の光送受信部２１４と、光信号の変復調、送受信部の駆動および光ＳＷ２１１の切替管理などを行う制御部２１５とを備えている。
【００１８】
光送受信部２１４のトランスミッタＴ１，…，Ｔｎからの光送信信号（波長λ１，…，λｎ、以下、下り信号ともいう）は、波長合分波素子２１３において１ポートに波長多重されて、光ＳＷ２１１に入射される。光送信信号は、光ＳＷ２１１において、通常時は現用系光ファイバ２０２ａに、切替時は予備系光ファイバ２０２ｂに結合される。ｎ台の子ノードからの光受信信号（波長λｎ＋1，…，λ2ｎ、以下、上り信号ともいう）は、通常時において、現用系光ファイバ２０２ａを介して光ＳＷ２１１に入射する。光受信信号は、波長合分波素子２１３に入射され、波長成分毎に分波された後、光送受信部２１４のレシーバＲｎ＋1，…，Ｒ2ｎに結合する。
【００１９】
制御部２１５は、子ノードからの信号、外部からの指示により、現用系光ファイバ２０２ａと予備系光ファイバ２０２ｂとの切替を行うためのタイミング抽出、切替制御を行う。切替制御について、瞬断の影響をなくすために、各ノード装置内にバッファメモリ、遅延回路等を搭載し、瞬断時間内のデータ保存と再送などの手段を設けることができる。
【００２０】
現用系光ファイバ２０２ａと予備系光ファイバ２０２ｂの子ノードを接続する箇所には、ＷＤＭスプリッタ２０４ａ〜２０４ｃが接続されている。ＷＤＭスプリッタ２０４ａ〜２０４ｃは、予め子ノードに割り付けられた波長（下り用波長をλｋとし、上り用波長をλ１ｎ＋ｋとする）だけを合分波し、残りの波長を下流側の他の子ノードへ伝搬する。
【００２１】
子ノード２０３は、現用系光ファイバ２０２ａと予備系光ファイバ２０２ｂとの間で合分波機能を有する光スプリッタ２３３と、上り信号と下り信号を波長により分離するＷＤＭスプリッタ２３１と、１組の光送受信部２３４（Ｔ１ｎ＋ｋ、Ｒｋ）と、制御部２３５とを備えている。光送受信部２３４からの上り信号（波長λ１ｎ＋ｋ）は、ＷＤＭスプリッタ２３１を経て光スプリッタ２３３でパワー分岐され、一部が現用系光ファイバ２０２ａに、残りが予備系光ファイバ２０２ｂに結合される。下り信号（波長λｋ）は、光スプリッタ２３３で合波された後、ＷＤＭスプリッタ２３１で分離されて、光送受信部２３４のレシーバＲｋに結合する。
【００２２】
このような構成により、子ノードには、現用系／予備系切替のための光ＳＷを備える必要がなく、制御部から切替の同期制御を行う必要もないので、ノードの経済化を図ることができる。
【００２３】
図３に、ツリー型ネットワークへの適用例を示す。現用系光ファイバ２０２ａと予備系光ファイバ２０２ｂの子ノードを接続する箇所に設置されたＷＤＭスプリッタ２０４ａ〜２０４ｃにおいて、予め複数の子ノードに割り付けられた波長を合分波し、残りの波長を下流側の他の子ノードへ伝搬する。例えば、波長数ｎ＝３２とすると、順次、ＷＤＭスプリッタ２０４ａにおいては１６波ずつ合分波し、ＷＤＭスプリッタ２０４ｂにおいては８波ずつ合分波し、最後にＷＤＭスプリッタ２０４ｅにおいては１波ずつ分岐する。このようにして、ツリー型またはスター型ネットワークに対応することができ、分岐する波長数を任意に選択することにより、様々な形態のネットワークとすることができる。
【００２４】
以上述べたように、本実施形態によれば、バス型、スター型いずれのネットワークにも対応することができ、予め分岐用のＷＤＭスプリッタを設置するだけで、ネットワークの拡張性を確保することができる。
【００２５】
図４に、本発明の第２の実施形態にかかる光伝送システムにおけるノードの構成を示す。光伝送システムは、バス型ネットワークであり、現用系光ファイバ３２１ａ，３２１ｂと予備系光ファイバ３２２ａ，３２２ｂからなる４心のバス型光伝送路に、親ノード３０１と複数の子ノード３０３とが接続されている。１台の親ノードに、ｎ台（ｎ：自然数）の子ノードを接続することができる。上り信号用と下り信号用の各々に光ファイバを用意することで、上り信号と下利信号の波長を同一波長に設定できるため、全体として必要な波長数を半減することができる。
【００２６】
親ノード３０１は、現用系光ファイバ３２１と予備系光ファイバ３２２との接続を切り替える１×２ポートの光ＳＷ３１１と、ｎ通りの波長の合分波を行う２組の１×ｎポートの波長合分波素子３１３と、ｎ通りの光波長の信号を送受信するためのｎ組の光送受信部３１４と、光信号の変復調、送受信部の駆動および光ＳＷ３１１の切替管理などを行う制御部３１５とを備えている。
【００２７】
光送受信部３１４のトランスミッタＴ１，…，Ｔｎからの下り信号（波長λ１，…，λｎ）は、波長合分波素子３１３において１ポートに波長多重されて、光ＳＷ３１１に入射される。送信信号は、光ＳＷ３１１において、通常時は現用系光ファイバ３２１ａに、切替時は予備系光ファイバ３２２ａに結合される。ｎ台の子ノードからの受信信号（波長λ１，…，λｎ）は、通常時において、現用系光ファイバ３２１ｂを介して光ＳＷ３１１に入射する。受信信号は、波長合分波素子３１３に入射され、波長成分毎に分離された後、光送受信部３１４のレシーバＲ１，…，Ｒｎに結合する。
【００２８】
現用系光ファイバ３２１と予備系光ファイバ３２２の子ノードを接続する箇所には、ＷＤＭスプリッタ３０４ａ〜３０４ｃが接続されている。ＷＤＭスプリッタ３０４ａ〜３０４ｃは、予め子ノードに割り付けられた波長（波長をλｋ）だけを合分波し、残りの波長を下流側の他の子ノードへ伝搬する。
【００２９】
子ノード３０３は、合分波機能を有する光スプリッタ３３３と、１組の光送受信部３３４（Ｔｋ、Ｒｋ）と、制御部３３５とを備えている。光送受信部３３４からの上り信号（波長λｋ）は、光スプリッタ３３３でパワー分岐され、一部が現用系光ファイバ３２１ｂに、残りが予備系光ファイバ３２２ｂに結合される。下り信号（波長λｋ）は、光スプリッタ３３３で合波された後、光送受信部３３４のレシーバＲｋに結合する。
【００３０】
このような構成により、全体として必要な波長数を半減することができるとともに、子ノードにＷＤＭスプリッタを備える必要がなく、さらなる小型化を図ることができる。
【００３１】
図５に、本発明の一実施形態にかかる親ノードの構成を示す。図２に示した親ノード２０１における光ＳＷ２１１の代わりに、電気的な切替を行う電子ＳＷを備えた。親ノード４０１は、２組の１×ｎポートの波長合分波素子４１３ａ，４１３ｂと、２組の光送受信部４１４と、２ｎ×１ポートまたは２組の１×ｎポートからなる電子ＳＷ４１６と、送受信部の駆動および電子ＳＷ４１６を制御する制御部４１５とを備えている。
【００３２】
通常時は、現用系光ファイバ４０２ａに接続される光送受信部４１４ａのｎ本のポートと制御部のポートとが接続されており、切替時は、予備系光ファイバ４０２ｂに接続されている光送受信部４１４ｂのｎ本のポートと制御部のポートとが接続されている。光ファイバ心線の切替は、電子ＳＷ４１６によって行われる。
【００３３】
なお、図４に示した４心の光ファイバを使用するバス型光伝送路の場合には、２組の波長合分波素子４１３ａ，４１３ｂのそれぞれを、２組の１×ｎポートの波長合分波素子とすることで、現用系／予備系切替を実現することができる。
【００３４】
図６に、本発明の一実施形態にかかる子ノードと光伝送路との接続形態を示す。図２に示した接続形態において、子ノード２０３の光スプリッタ２３３を、バス型光伝送路の分岐部分にあたるＷＤＭスプリッタ２０４に内蔵する。このような構成により、バス型光伝送路の分岐部分と子ノードとの間の光ファイバを１心で構成することができる。
【００３５】
なお、図４に示した４心の光ファイバを使用するバス型光伝送路の場合にも、光スプリッタ３３３を、バス型光伝送路の分岐部分にあたるＷＤＭスプリッタ３０４に内蔵することにより、同様の効果を得ることができる。
【００３６】
図７〜９に、子ノードをネットワークに追加するシーケンスを示す。通常時においては、現用系光ファイバ２０２ａがアクティブ状態、すなわち通信が行われている状態である（図７）。子ノードをするために切替の要求が発生した時点で、親ノード２０１は、切替要求信号を検出する。切替要求信号は、例えば、管理装置を通じたオペレータの指示を制御部２１５で受信する。制御部２１５は、光ＳＷ２１１の光ファイバ接続ポートを、予備系光ファイバ２０２ｂへ切り替える（図８）。切替により現用系光ファイバ２０２ａは、全ての子ノードに対して遮断され、予備系光ファイバ２０２ｂがアクティブ状態となる。
【００３７】
次に、親ノード２０１に、追加する子ノード２０３ｃと通信を行うための波長を有する光送受信部２１４のトランスミッタＴｋ＋1と、レシーバＲｎ＋ｋ＋1とが、予め備わっていない場合には追加する。分岐のためのＷＤＭ光スプリッタ２０４ｃを、現用系光ファイバ２０２ａに挿入して、子ノード２０３ｃを物理的に接続する（図８）。この状態で必要に応じて接続確認のために、後述する試験を行うことができる。
【００３８】
続いて、光ＳＷ２１１の切り戻しにより、現用系光ファイバ２０２ａをアクティブ状態にする（図９）。ＷＤＭ光スプリッタ２０４ｃを、予備系光ファイバ２０２ｂに挿入し、同様に接続確認の試験が行って、通常時に戻る。
【００３９】
図１０〜１２に、光伝送路の障害時における切替のシーケンスを示す。通常時においては、現用系光ファイバ２０２ａがアクティブ状態、すなわち通信が行われている状態である。現用系光ファイバ２０２ａに心線障害が起こると親ノード２０１で障害検出が行われる（図１０）。障害検出は、光送受信部２１４において、子ノードからの受信信号の信号断または信号強度の低下を検出する。
【００４０】
障害を検出すると、制御部２１５は、光ＳＷ２１１の光ファイバ接続ポートを、予備系光ファイバ２０２ｂへ切り替える（図１１）。切替により現用系光ファイバ２０２ａは、全ての子ノードに対して遮断され、予備系光ファイバ２０２ｂがアクティブ状態となる。現用系光ファイバ２０２ａの障害復旧工事が行われ、施工完了後、接続確認のために、後述する試験を行うことができる。続いて、光ＳＷ２１１の切り戻しにより、現用系光ファイバ２０２ａをアクティブ状態にする（図１２）。
【００４１】
なお、子ノード自体に障害が起きた場合は、挿抜と同様な手順で子ノードを切り離して修復し挿入することで対応が可能である。
【００４２】
図１３に、光伝送路の試験機能を有する親ノードの構成を示す。親ノード６０１は、２×２ポートの光ＳＷ６１１と、試験部６１７とを備えている点で、親ノード２０１と異なる。試験部６１７は、特定の子ノードの上り送信波長成分だけを抽出する可変波長フィルタ６２１と、試験用の光受信部であるレシーバ６２２と、測定部６２３とを含む。
【００４３】
通常時の光ＳＷ６１１は、現用系光ファイバ２０２ａと波長合分波素子６１３との接続、および予備系光ファイバ２０２ｂと試験部６１７との接続を行う。切替時には、逆に現用系光ファイバ２０２ａと試験部６１７との接続、および予備系光ファイバ２０２ｂと波長合分波素子６１３との接続を行う。
【００４４】
例えば、図７〜９に示したように、現用系光ファイバ２０２ａにＷＤＭ光スプリッタ２０４ｃと子ノード２０３ｃとを追加挿入する場合について説明する。光ＳＷ６１１で切替を実施後、現用系光ファイバ２０２ａにＷＤＭ光スプリッタ２０４ｃを挿入し、子ノード２０３ｃより上り試験信号（波長λｋ）を送出する。現用系光ファイバ２０２ａ、光ＳＷ６１１を経て、可変波長フィルタ６２１により、全ての子ノードの上り信号の中からλｋ成分だけを抽出する。レシーバ６２２と測定部６２３とにより、上り試験信号の信号強度を測定するなどして接続確認を行う。
【００４５】
光ＳＷ６１１を切り戻し後は、予備系光ファイバ２０２ｂにＷＤＭ光スプリッタ２０４ｃを挿入し、同様に子ノード２０３ｃより上り試験信号（波長λｋ）を送出する。上述したように、試験部６１７にて接続確認を行うことができる。
【図面の簡単な説明】
【００４６】
【図１】従来のＵＰＳＲ型光伝送システムにおけるノードの構成を示す図である。
【図２】本発明の第１の実施形態にかかる光伝送システムにおけるノードの構成を示す図である。
【図３】ツリー型ネットワークへの適用例を示す図である。
【図４】本発明の第２の実施形態にかかる光伝送システムにおけるノードの構成を示す図である。
【図５】本発明の一実施形態にかかる親ノードの構成を示す図である。
【図６】本発明の一実施形態にかかる子ノードと光伝送路との接続形態を示す図である。
【図７】子ノードをネットワークに追加する第１工程を示す図である。
【図８】子ノードをネットワークに追加する第２工程を示す図である。
【図９】子ノードをネットワークに追加する第３工程を示す図である。
【図１０】光伝送路の障害時における切替の第１工程を示す図である。
【図１１】光伝送路の障害時における切替の第２工程を示す図である。
【図１２】光伝送路の障害時における切替の第３工程を示す図である。
【図１３】光伝送路の試験機能を有する親ノードの構成を示す図である。
【符号の説明】
【００４７】
１０１，２０１，３０１，４０１，６０１  親ノード
１０２ａ，２０２ａ，３２１，４０２ａ，５０２ａ  現用系光ファイバ
１０２ｂ，２０２ｂ，３２２，４０２ｂ，５０２ｂ  予備系光ファイバ
１０３，２０３，３０３，５０３  子ノード
１１１，１３２，２１１，３１１，６１１  光ＳＷ
１１２，１３３，２３３，３３３，５４３  光スプリッタ
１１３，２１３，３１３，４１３，６１３  波長合分波素子
１１４，１３４，２１４，２３４，３１４，３３４，４１４，５３４，６１４  光送受信部
１１５，１３５，２１５，２３５，３１５，３３５，４１５，５３５，６１５  制御部
１３１，１３５，２０４，２３１，３０４，５０４，５３３  ＷＤＭスプリッタ
４１６  電子ＳＷ
６１７  試験部
６２１  可変波長フィルタ
６２２  レシーバ
６２３  測定部
【図１】
2005295464.tif 000003
【図２】
2005295464.tif 000004
【図３】
2005295464.tif 000005
【図４】
2005295464.tif 000006
【図５】
2005295464.tif 000007
【図６】
2005295464.tif 000008
【図７】
2005295464.tif 000009
【図８】
2005295464.tif 000010
【図９】
2005295464.tif 000011
【図１０】
2005295464.tif 000012
【図１１】
2005295464.tif 000013
【図１２】
2005295464.tif 000014
【図１３】
2005295464.tif 000015